【手続補正書】
【提出日】平成30年9月7日(2018.9.7)
【手続補正１】
【補正対象書類名】明細書
【補正対象項目名】発明の名称
【補正方法】変更
【補正の内容】
【発明の名称】電子楽器、電子弦楽器、楽音発生指示方法およびプログラム
【手続補正２】
【補正対象書類名】明細書
【補正対象項目名】０００１
【補正方法】変更
【補正の内容】
【０００１】
本発明は、電子楽器、電子弦楽器、楽音発生指示方法およびプログラムに関する。
【手続補正３】
【補正対象書類名】明細書
【補正対象項目名】０００５
【補正方法】変更
【補正の内容】
【０００５】
そこで本発明は、上述した事情に鑑みてなされたもので、信頼性低下を惹起することなく押弦などの操作を検出することができる電子楽器、電子弦楽器、楽音発生指示方法およびプログラムを提供することを目的としている。
【手続補正４】
【補正対象書類名】明細書
【補正対象項目名】０００６
【補正方法】変更
【補正の内容】
【０００６】
上記目的を達成するため、本発明の電子楽器は、電波を送信する電波送信部と、情報を記憶するメモリを有するとともに、前記電波送信部から送信される電波の受信状態に応じて、前記メモリに記憶されている前記情報を示す電波を送信するＩＣタグと、前記ＩＣタグから送信される電波を受信し、この受信した電波が示す前記情報に基づいて楽音の発音を制御する処理部と、を備え、前記電波送信部および前記ＩＣタグは、ユーザ操作に応じて前記電波送信部と前記ＩＣタグとの間の距離が変化するように設けられており、前記ＩＣタグは、前記電波送信部と前記ＩＣタグとの間の距離の変化に応じて前記電波送信部から送信される電波の受信強度が第１の値を超えた場合に、前記メモリに記憶されている前記情報を示す電波を送信する、ことを特徴とする。
【手続補正５】
【補正対象書類名】明細書
【補正対象項目名】０００７
【補正方法】変更
【補正の内容】
【０００７】
本発明の楽音発生方法は、電子楽器の処理部が、電波送信部から電波を送信させ、情報を記憶するメモリを有するとともに、前記電波送信部から送信される電波の受信状態に応じて、前記メモリに記憶されている前記情報を示す電波を送信するＩＣタグから送信される電波を受信し、前記受信した電波が示す前記情報に基づいて楽音の発音を制御し、前記電波送信部および前記ＩＣタグは、ユーザ操作に応じて前記電波送信部と前記ＩＣタグとの間の距離が変化するように設けられており、前記ＩＣタグは、前記電波送信部と前記ＩＣタグとの間の距離の変化に応じて前記電波送信部から送信される電波の受信強度が第１の値を超えた場合に、前記メモリに記憶されている前記情報を示す電波を送信する、ことを特徴とする。
【手続補正６】
【補正対象書類名】明細書
【補正対象項目名】０００８
【補正方法】変更
【補正の内容】
【０００８】
本発明のプログラムは、電子楽器のコンピュータに、電波送信部から電波を送信させる処理と、情報を記憶するメモリを有するとともに、前記電波送信部から送信される電波の受信状態に応じて、前記メモリに記憶されている前記情報を示す電波を送信するＩＣタグから送信される電波を受信する処理と、前記受信した電波が示す前記情報に基づいて楽音の発音を制御する処理と、を実行させ、前記電波送信部および前記ＩＣタグは、ユーザ操作に応じて前記電波送信部と前記ＩＣタグとの間の距離が変化するように設けられており、前記ＩＣタグは、前記電波送信部と前記ＩＣタグとの間の距離の変化に応じて前記電波送信部から送信される電波の受信強度が第１の値を超えた場合に、前記メモリに記憶されている前記情報を示す電波を送信する、ことを特徴とする。
【手続補正７】
【補正対象書類名】特許請求の範囲
【補正対象項目名】全文
【補正方法】変更
【補正の内容】
【特許請求の範囲】
【請求項１】
電波を送信する電波送信部と、
情報を記憶するメモリを有するとともに、前記電波送信部から送信される電波の受信状態に応じて、前記メモリに記憶されている前記情報を示す電波を送信するＩＣタグと、
前記ＩＣタグから送信される電波を受信し、この受信した電波が示す前記情報に基づいて楽音の発音を制御する処理部と、
を備え、
前記電波送信部および前記ＩＣタグは、ユーザ操作に応じて前記電波送信部と前記ＩＣタグとの間の距離が変化するように設けられており、
前記ＩＣタグは、前記電波送信部と前記ＩＣタグとの間の距離の変化に応じて前記電波送信部から送信される電波の受信強度が第１の値を超えた場合に、前記メモリに記憶されている前記情報を示す電波を送信する、電子楽器。
【請求項２】
前記ＩＣタグは、前記電波送信部から送信される電波から電力の供給を受けて動作し、前記受信強度が前記第１の値を超えた場合に第１の情報を示す電波を送信し、前記受信強度が前記第１の値よりも低い第２の値を下回った場合に前記第１の情報とは異なる第２の情報を送信する、請求項１に記載の電子楽器。
【請求項３】
ユーザ操作に応じて互いの距離が変化するように設けられた前記電波送信部と前記ＩＣタグとの組が複数あり、
前記複数の組それぞれの前記ＩＣタグが記憶する情報は互いに異なっており、
前記処理部は、前記複数の組のうちのいずれの組の前記ＩＣタグが記憶する情報を示す電波を受信したかに応じて楽音の発音を制御する、請求項１または２に記載の電子楽器。
【請求項４】
前記電波送信部は、張設された弦であり、前記張設された弦をアンテナとして電波を送信し、ユーザの押弦操作に応じて前記ＩＣタグに近づくように前記張設された弦の位置が変化し、
前記張設された弦をアンテナとして電波を受信する電波受信部を備え、
前記処理部は、前記電波受信部で受信した電波が示す前記情報に基づいて楽音の発音を制御する、請求項１乃至３のいずれか一項に記載の電子楽器。
【請求項５】
前記弦は、複数のフレットが設けられた指板部上に張設されるようにして複数設けられ、
前記ＩＣタグは、前記複数の弦にそれぞれ対応して各フレット間に配設されるようにして複数設けられ、
前記複数の弦のいずれかが弾弦されたことを検出する弾弦検出部を備え、
前記処理部は、
前記電波送信部として機能する前記複数の弦夫々から電波を送信させる送信処理と、
前記複数のＩＣタグ夫々における前記送信された電波の受信状態に基づいて、前記複数の弦夫々の押弦状態を検出する押弦状態検出処理と、
前記弾弦検出部による弾弦検出に応答して、前記弾弦の検出された弦の押弦状態に基づいて決定された音高の楽音の発音を音源に指示する発音指示処理と、を実行する、請求項４に記載の電子楽器。
【請求項６】
前記弾弦検出部はさらに、前記弾弦の強度を検出し、
前記処理部は、前記発音指示処理においてさらに、前記検出された弾弦の強度に基づいて前記発音の指示された楽音の音量を、前記音源に指示する処理を実行する、請求項５に記載の電子楽器。
【請求項７】
前記処理部は、押弦状態検出処理において、前記複数のＩＣタグそれぞれについて、前記対応する弦から送信された電波を受信したか否かを判別するとともに、電波を受信したＩＣタグに基づき前記複数の弦それぞれの押弦位置を検出する処理を実行する請求項５または６に記載の電子楽器。
【請求項８】
前記処理部は、押弦状態検出処理において、前記ＩＣタグにおいて前記受信された電波の強度が第１の閾値を超えたときに、前記対応する弦が押弦されたと判別し、前記受信された電波の強度が第２の閾値未満となったときに、前記対応する弦が押弦を解除されたと判別する請求項５乃至７のいずれかに記載の電子楽器。
【請求項９】
複数のフレットが設けられた指板部上に張設された複数の弦と、
前記複数の弦にそれぞれ対応して各フレット間に配設された複数のＩＣタグと、
前記複数の弦のいずれかが弾弦されたことを検出する弾弦検出部と、
前記ＩＣタグから送信された第１識別情報と、前記弾弦検出部によって検出された前記複数の弦の弾弦状態を含む第２識別情報とに基づいて決定された音高での楽音の発音を音源に指示する発音指示処理を実行する処理部と、
を備え、
前記第１識別情報は、前記弦の押弦状態を含み、押弦された弦が前記ＩＣタグに近づくに従って増加する前記ＩＣタグで受信される電波強度が第１の値を超えた場合に、前記ＩＣタグが前記第１識別情報を送信する、電子弦楽器。
【請求項１０】
電子楽器の処理部が、
電波送信部から電波を送信させ、
情報を記憶するメモリを有するとともに、前記電波送信部から送信される電波の受信状態に応じて、前記メモリに記憶されている前記情報を示す電波を送信するＩＣタグから送信される電波を受信し、
前記受信した電波が示す前記情報に基づいて楽音の発音を制御し、
前記電波送信部および前記ＩＣタグは、ユーザ操作に応じて前記電波送信部と前記ＩＣタグとの間の距離が変化するように設けられており、
前記ＩＣタグは、前記電波送信部と前記ＩＣタグとの間の距離の変化に応じて前記電波送信部から送信される電波の受信強度が第１の値を超えた場合に、前記メモリに記憶されている前記情報を示す電波を送信する、
楽音発生指示方法。
【請求項１１】
電子楽器のコンピュータに、
電波送信部から電波を送信させる処理と、
情報を記憶するメモリを有するとともに、前記電波送信部から送信される電波の受信状態に応じて、前記メモリに記憶されている前記情報を示す電波を送信するＩＣタグから送信される電波を受信する処理と、
前記受信した電波が示す前記情報に基づいて楽音の発音を制御する処理と、
を実行させ、
前記電波送信部および前記ＩＣタグは、ユーザ操作に応じて前記電波送信部と前記ＩＣタグとの間の距離が変化するように設けられており、
前記ＩＣタグは、前記電波送信部と前記ＩＣタグとの間の距離の変化に応じて前記電波送信部から送信される電波の受信強度が第１の値を超えた場合に、前記メモリに記憶されている前記情報を示す電波を送信する、プログラム。